(57)【特許請求の範囲】
【請求項１】
多孔質材料の表面及び多数の微細孔の内部に誘引香料膜が形成されているダニ誘引殺虫体と、
前記ダニ誘引殺虫体の表面を覆う位置に設けられ、誘引されたダニの存在を視認可能とする暗色シート状部材と、
透明部材により前記ダニ誘引殺虫体及び前記暗色シート状部材を収納可能に形成されており、ダニが侵入する侵入口を有する収納ケースとを備えることを特徴とするダニ捕獲器。
【請求項２】
前記ダニ誘引殺虫体は、前記暗色シート状部材に覆われ、前記暗色シート状部材上を移動したダニを前記暗色シート状部材の内側に誘引して殺虫することを特徴とする請求項１に記載のダニ捕獲器。
【請求項３】
前記収納ケースは、前記ダニ誘引殺虫体の上部を覆う上ケースと、前記ダニ誘引殺虫体の下部を覆う下ケースとを有し、
前記上ケース又は前記下ケースの何れかの側面にダニが侵入する開口が形成されていることを特徴とする請求項１又は２に記載のダニ捕獲器。
【請求項４】
前記上ケースは、前記ダニ誘引殺虫体の上面及び側面を覆うように形成されており、
前記下ケースは、前記ダニ誘引殺虫体の下面及び側面を覆うように形成されており、
前記上ケースと前記下ケースとの間はヒンジにより回動可能に連結されており、
前記上ケース又は前記下ケースの何れか内側の側面に前記開口が形成されており、
前記上ケース又は前記下ケースの何れか他方の外側の側面が前記開口に対向することを特徴とする請求項３に記載のダニ捕獲器。
【請求項５】
多孔質材料の表面及び多数の微細孔の内部に誘引香料膜が形成されているダニ誘引殺虫体と、
前記ダニ誘引殺虫体が底部に着脱可能に装着される筒状ケースと、
前記筒状ケースの内部に挿入されるダニ誘引シートと、
前記筒状ケースの上部内側に設けられ、前記ダニ誘引シートの表面を移動するダニを拡大するレンズと、
前記筒状ケースに装着されて前記ダニ誘引殺虫体を収納する誘引体殺虫ケースとを備え、
前記レンズによって前記ダニ誘引シートの表面を移動するダニが拡大されて視認された場合、前記誘引体殺虫ケースが前記筒状ケースの底部に装着されて前記ダニ誘引殺虫体により前記ダニを誘引すると共に死滅させることを特徴とするダニ捕獲器。
【請求項６】
前記誘引香料膜は、ダニ集合フェロモンの臭いの香料成分からなることを特徴とする請求項１乃至５の何れか一項に記載のダニ捕獲器。
【請求項７】
前記多孔質材料は、前記多数の微細孔を有する多孔質セラミックスからなることを特徴とする請求項１乃至６の何れか一項に記載のダニ捕獲器。
【発明の詳細な説明】
【技術分野】
【０００１】
本発明は、ダニ捕獲器に関する。
【背景技術】
【０００２】
近年、家庭などで発生するダニを駆除する手段としてダニの好物に近い物質からなるダニ誘引物質を用いたダニ捕獲器が開発されている。また、捕獲したダニが外部から視認できるようにダニ誘引物質を透明なダニ捕獲材の粘着剤層の表面に接着させ、当該ダニ捕獲材を白色以外の色に着色されたプラスチックケースの内部に収納させるように構成されたダニ捕獲器がある（例えば、特許文献１参照）。
【０００３】
家庭内で発生するダニのうち、例えば、チリダニは、体長が０．２ｍｍ〜０．４ｍｍで、色は白色である。また、ツメダニは、体長が０．２ｍｍ〜０．８ｍｍで、色は淡赤色である。各ダニは、肉眼でその存在を確認することが難しいため、上記特許文献１ではシート状に形成されたダニ捕獲材を透明にし、ダニ捕獲材を収納するケースを白色以外の色に着色することで、死滅して白色となったダニの死骸を視認しやすくしている。
【先行技術文献】
【特許文献】
【０００４】
【特許文献１】特開２００１−１２０１４７号公報
【発明の概要】
【発明が解決しようとする課題】
【０００５】
上記従来のダニ捕獲器では、ダニ捕獲材の粘着剤層に捕獲されたダニを視認するため、捕獲されたダニが粘着剤層上で動くことができず、静止したまま死滅することになるので、白色以外の色に着色されたプラスチックケースの外側からみると、体長が１ｍｍ以下のダニを視認することが難しかった。
【０００６】
また、従来のものは、ダニ捕獲材の粘着剤層にダニ誘引物質が接着されて露出された状態であるため、経時変化によりダニ誘引物質の劣化が促進されやすく、ダニ捕獲材の耐久性を向上させることが難しいという問題があった。
【０００７】
そこで、本発明は上記事情に鑑み、上記課題を解決したダニ捕獲器の提供を目的とする。
【課題を解決するための手段】
【０００８】
上記課題を解決するため、本発明は以下のような手段を有する。
【００１０】
本発明は、ダニ捕獲器において、多孔質材料の表面及び多数の微細孔の内部に誘引香料膜が形成されているダニ捕獲器と、前記ダニ誘引殺虫体の表面を覆う位置に設けられ、誘引されたダニの存在を視認可能とする暗色シート状部材と、透明部材により前記ダニ誘引殺虫体及び前記暗色シート状部材を収納可能に形成されており、ダニが侵入する侵入口を有する収納ケースとを備えることを特徴とする。
また、本発明は、ダニ捕獲器において、多孔質材料の表面及び多数の微細孔の内部に誘引香料膜が形成されているダニ誘引殺虫体と、前記ダニ誘引殺虫体が底部に着脱可能に装着される筒状ケースと、前記筒状ケースの内部に挿入されるダニ誘引シートと、前記筒状ケースの上部内側に設けられ、前記ダニ誘引シートの表面を移動するダニを拡大するレンズと、前記筒状ケースに装着されて前記ダニ誘引殺虫体を収納する誘引体殺虫ケースとを備え、前記レンズによって前記ダニ誘引シートの表面を移動するダニが拡大されて視認された場合、前記誘引殺虫ケースが前記筒状ケースの底部に装着されて前記ダニ誘引殺虫体により前記ダニを誘引すると共に死滅させることを特徴とする。
【発明の効果】
【００１１】
本発明によれば、誘引香料膜が多孔質材料の表面に誘引香料を含浸させ、その表面を熱処理した前記誘引香料に含まれる香料成分を溶融化して形成されるため、多孔質材料の各微細孔の内部まで誘引香料がコーティングされてダニ誘引効果の徐放持続性を延長し、耐久性を向上させることが可能になる。
【００１２】
また、本発明によれば、暗色シート状部材がダニ誘引殺虫体の表面を覆う位置に設けられ、誘引されたダニがダニ誘引殺虫体に向かって移動する様子を視認可能となるため、例えば黒いシート上に白色または白色に近い色（淡赤色）のダニが多数移動することで視認しやすくなる。
【図面の簡単な説明】
【００１３】
【図１】本発明によるダニ誘引殺虫体の一実施例がダニ捕獲器のケースに収納された状態を示す横断面図である。
【図２】本発明によるダニ誘引殺虫体の一実施例がダニ捕獲器のケースに収納された状態を示す縦断面図である。
【図３】ダニ捕獲器の収納ケースを開いた状態を示す展開図である。
【図４】ダニ捕獲器の変形例を示す図であり、（Ａ）は平面図、（Ｂ）はＢ−Ｂ線に沿う縦断面図、（Ｃ）はＣ−Ｃ線に沿う縦断面図である。
【図５】変形例のダニ捕獲器の筒状ケースに誘引体殺虫ケースを装着した状態を示す縦断面図である。
【発明を実施するための形態】
【００１４】
以下、図面を参照して本発明を実施するための形態について説明する。
【実施例１】
【００１５】
図１は本発明によるダニ誘引殺虫体の一実施例がダニ捕獲器のケースに収納された横断面図である。図２は本発明によるダニ誘引殺虫体の一実施例がダニ捕獲器のケースに収納された状態を示す縦断面図である。図３はダニ捕獲器の収納ケースを開いた状態を示す展開図である。
【００１６】
図１乃至図３に示されるように、ダニ捕獲器１０は、多孔質材料の表面に誘引香料をコーティングして誘引香料膜２２を形成されたダニ誘引殺虫体２０と、ダニ誘引殺虫体２０の表面を覆う暗色シート状部材３０と、ダニ誘引殺虫体２０及び暗色シート状部材３０を収納可能に形成された箱形状の透明な収納ケース４０とを有する。尚、ダニ捕獲器１０は、例えば布製の収納袋のポケットに収納された状態で任意の場所に設置される。
【００１７】
ダニ誘引殺虫体２０の表面に形成される誘引香料膜２２は、例えば誘引香料を混合したチョコレートやクズ粉末、寒天などの植物性混合物の粉末等の複数の誘引成分が所定の割合で混合されたダニ集合フェロモンの香料からなる。ダニ集合フェロモンは、体外に放出されて他の個体を生理的に引きつける分泌物であり、各ダニの種類によって異なる成分からなる。また、誘引香料膜２２は、ダニ集合フェロモンの臭いを有する複数の成分を組み合わせて人工的に作成されたものである。尚、ダニ集合フェロモンの臭いを発する成分としては、例えば、合成香料の酢酸ネリル等がある。
【００１８】
ダニ誘引殺虫体２０は、上面が四角形状の平板状に形成され、多数の微細孔２４を有する多孔質部材としての多孔質セラミックスからなる。また、多孔質セラミックスの表面及び微細孔２４内部には、誘引香料を含浸させ、その表面を熱処理して合成香料の酢酸ネリル（例えば、チョコレートや葛粉末、寒天などの誘引香料を混合した植物性混合物の粉末等）の誘引成分からなる誘引香料膜２２がメッキ状にコーティングされる。そのため、ダニ誘引殺虫体２０は、多孔質セラミックスの表面だけでなく、図３に拡大して示すように、表面に形成された多数の微細孔２４の内部までダニ集合フェロモンに近い特性を有する誘引成分が溶融されることで、多数の微細孔２４の内部にも誘引香料膜２２がコーティングされる。尚、ダニ誘引殺虫体２０を構成する多孔質材料としては、多孔質セラミックスに限らず、他の多孔質材料（例えばゼオライトや熱処理した珪土の混合扮）でも良い。
【００１９】
これにより、ダニ誘引殺虫体２０は、大気中に露出された表面部分だけでなく、多数の微細孔２４の内部にも誘引香料膜２２が形成されるため、従来のように表面にのみ誘引香料が形成されるものよりも長時間継続して誘引効果を持続させることが可能になる。本実施例では、例えば徐放時間を従来の３ヶ月から２倍の６ヶ月に延長することが可能になり、誘引効果の耐久性が大幅に向上している。さらに、ダニ誘引殺虫体２０の表面に形成された誘引香料膜２２は、誘引香料のコーティング後の加熱、冷却によりセラミックス粉末が積層された状態になる。このセラミックス粉末は、ダニの体内や体表の気孔を塞ぐことでダニの水分を低下させて乾燥させると共に、死滅させる殺虫剤として作用する。
【００２０】
暗色シート状部材３０は、例えば樹脂フィルムあるいは布地、紙などからなり、黒色または濃紺色などのダニの色（白色系）と対象的な暗い色に着色または素材そのものが暗い色である。また、暗色シート状部材３０は、内部にダニ誘引殺虫体２０が挿入される空間を有し、且つＸ方向の両側に開口３２を有する帯状に形成されている。そのため、使用状態のときのダニ誘引殺虫体２０は、平板形状に形成された上面及び下面及び左右側面を暗色シート状部材３０によって覆われた状態となり、両端部が開口３２によって外部と連通された状態で収納ケース４０の内部に収納される。
【００２１】
収納ケース４０は、例えばポリプロピレン（ＰＰ）やポリエチレンテレフタレート（ＰＥＴ）などの透明な樹脂材により成型されており、ダニ誘引殺虫体２０及び暗色シート状部材３０の下部を覆う下ケース４２と、ダニ誘引殺虫体２０及び暗色シート状部材３０の上部を覆う上ケース４４と、下ケース４２と上ケース４４との間を回動可能に連結するヒンジ４６とを有する。下ケース４２は、ヒンジ４６により上ケース４４に対して回動可能に設けられ、且つ上ケース４４の内部に収納されるように上ケース４４より一回り小さく形成されている。また、下ケース４２と上ケース４４とが互いに重なり合うように折り畳まれた状態になると、下ケース４２と上ケース４４との間には、ダニ誘引殺虫体２０及び暗色シート状部材３０が収納される収納室４５が画成される。
【００２２】
下ケース４２は、Ｘ方向及びＹ方向の寸法が上ケース４４よりも小さく形成されている。そのため、図２及び図３に示されるように、下ケース４２を上ケース４４の内部に収納させるように折り畳むと、ヒンジ４６を除く下ケース４２の３方向の各側面と上ケース４４の３方向の各側面との間に隙間Ｓが形成される。
【００２３】
また、下ケース４２は、Ｙ方向の左右側面（二辺）の縁部に侵入口４１を形成する凹部４２ａ、４２ｂを有し、底板４２ｃを囲むようにＸ方向の一辺には縁部４２ｄが形成され、Ｘ方向の他辺にはヒンジ４６が設けられている。凹部４２ａ、４２ｂは、上端部分が他の側面よりも低く形成されており、上ケース４４の天板４４ａとの間に開口４３を形成している。開口４３は、下ケース４２の底板４２ｃに載置された暗色シート状部材３０のＹ方向の側面に対向する位置に設けられている。
【００２４】
上ケース４４は、天板４４ａのＹ方向の二辺及びＸ方向の一辺に縁部４４ｂ、４４ｃ、４４ｄが形成され、Ｘ方向の他辺にはヒンジ４６が形成されている。
【００２５】
ダニ誘引殺虫体２０は、外側が暗色シート状部材３０により覆われた状態で下ケース４２の凹部４２ａ、４２ｂ間の底板４２ｃ上に載置される。そのため、ダニ誘引殺虫体２０は、暗色シート状部材３０の内側に挿入されているので、上方からは直接視認することができない。そして、暗色シート状部材３０のシート面（上面及び下面）に到着したダニは、暗色シート状部材３０のシート面を移動してＸ方向の両側に配された開口３２から暗色シート状部材３０の内側に移動する。さらに、暗色シート状部材３０の内側を移動しながら、暗色シート状部材３０の内側に対向するダニ誘引殺虫体２０の表面（上面及び下面、各側面）に移動する。
【００２６】
また、下ケース４２及び上ケース４４のＸ方向の周縁部外側面には、掛止部４７、４８が設けられている。この掛止部４７、４８は、互いに係合して下ケース４２及び上ケース４４を折り畳まれた状態に掛止する。
【００２７】
ダニ捕獲器１０を使用する際は、収納ケース４０の内部に形成された収納室４５にダニ誘引殺虫体２０及び暗色シート状部材３０を収納させ、ヒンジ４６により下ケース４２及び上ケース４４を閉じた状態で掛止部４７、４８を掛止させる。そして、収納室４５に収納されたダニ誘引殺虫体２０の誘引香料膜からは、ダニ集合フェロモンの臭いが徐放される。また、収納ケース４０は、使用状態において、下ケース４２が上ケース４４の内側の配置された状態で掛止部４７、４８が掛止されるため、下ケース４２及び上ケース４４の各側面が対向する２重構造となる。そのため、ダニ捕獲器１０は、下ケース４２及び上ケース４４の各縁部が重なり合う構成により、外部のハウスダスト等の微小なゴミが収納室４５に侵入することが防止される。
【００２８】
このように、下ケース４２が上ケース４４内に折り畳まれた使用状態において、ダニ誘引殺虫体２０からダニ集合フェロモンに近い臭いが徐々に放出されると、ダニ誘引殺虫体２０からの臭いに誘引されたダニが収納ケース４０の底面側の隙間Ｓからケース内部に侵入し、さらに下ケース４２の侵入口４１及び上記開口４３を通って下ケース４２の内部に収納された暗色シート状部材３０のシート面に到り、暗色シート状部材３０の表側から裏側に移動してダニ誘引殺虫体２０の表面に到達する。
【００２９】
そのため、ダニ誘引殺虫体２０に誘引されて収納ケース４０のＹ方向の侵入口４１からケース内部の収納室４５に侵入したダニは、ダニ誘引殺虫体２０にコーティングされた誘引香料膜２２からの誘引作用（香り）に導かれて暗色シート状部材３０の表面を図２中破線で示すように移動することになる。そして、ダニは、暗色シート状部材３０の開口３２を通って暗色シート状部材３０の内側に挿入されたダニ誘引殺虫体２０に向かって移動する。
【００３０】
このように、暗色シート状部材３０の表面には、生きたダニが移動しているため、収納ケース４０の外部からみた場合、従来のように静止しているものよりもダニの存在を視認しやすい。尚、体長が０．２ｍｍ〜０．４ｍｍのダニを肉眼で視認することは難しいため、倍率が１０〜１５倍のマイクロレンズ等の拡大レンズを用いてダニを視認可能な大きさに拡大して観察しても良い。
【００３１】
さらに、ダニ誘引殺虫体２０の表面に到達したダニは、ダニ誘引殺虫体２０に潜り込み多孔質セラミックのセラミック粉末がダニの気孔を塞ぐと共に、ダニの体内に取り込まれたセラミック粉末の吸湿性により乾燥され、死滅する。
【００３２】
〔変形例〕
図４はダニ捕獲器の変形例を示す図であり、（Ａ）は平面図、（Ｂ）はＢ−Ｂ線に沿う縦断面図、（Ｃ）はＣ−Ｃ線に沿う縦断面図である。図４（Ａ）〜図４（Ｃ）に示されるように、ダニ捕獲器５０は、筒状に形成された筒状ケース６０と、レンズ７０と、ダニ誘引シート８０と、誘引体殺虫ケース９０とを有する。
【００３３】
筒状ケース６０は、横断面形状が楕円形に形成された筒状体からなり、内壁面６２には一対のレンズ７０が所定間隔をおいて保持されている。一対のレンズ７０は、例えば倍率が１０倍〜１５倍になるようにレンズ面の曲率半径及び離間距離が任意の値に設定されている。
【００３４】
ダニ誘引シート８０は、黒色などの暗色の通気性シート８２の内側に板状に形成されたダニ誘引体８４が収納されている。また、ダニ誘引体８４の表面には、通気性を有する紙又は不織布からなる通気性シート８２が密着している。そのため、ダニ誘引体８４の香料により誘引されたダニは、通気性シート８２の下側に潜り込むことができないので、ダニ誘引体８４の外側を包む通気性シート８２の表面を移動することになり、一対のレンズ７０により拡大して視認できる。
【００３５】
筒状ケース６０の底部に分離可能に形成される楕円形状の誘引体殺虫ケース９０は、内部９４にダニ誘引殺虫マット９３が収納されている。ダニ誘引殺虫マット９３は、不織布やフリース等の布地からなる一対のダニ侵入層９８の間にダニ誘引殺虫体９５を介在させてなる。ダニ侵入層９８に侵入したダニは、ダニ誘引殺虫体９５に移動することにより乾燥され、死滅する。尚、ダニ誘引殺虫体９５は、前述したダニ誘引殺虫体２０と同様に、多孔質セラミックスの表面に、ダニ集合フェロモンの香料からなる誘引香料膜２２がメッキ状にコーティングされている。
【００３６】
図５は変形例のダニ捕獲器の筒状ケースに誘引体殺虫ケースを装着した状態を示す縦断面図である。図５に示されるように、レンズ７０を通してダニ誘引シート８０の表面のダニの存在が確認された場合、筒状ケース６０の底部に誘引体殺虫ケース９０の段部９２を嵌合させる。これにより、誘引体殺虫ケース９０の内部９４に載置されたダニ誘引殺虫マット９３の上方には、筒状ケース６０の底部のメッシュシート８６を介してダニ誘引シート８０が配される。この後、筒状ケース６０の底部に誘引体殺虫ケース９０を装着させたダニ捕獲器５０は、例えば３ヶ月間所定の場所に設置されてダニを捕獲することができる。
【００３７】
そして、ダニ捕獲器５０の周辺のダニは、ダニ誘引殺虫体９５からのダニ集合フェロモンの臭いに誘引されて誘引体殺虫ケース９０の底部のメッシュシート９６から侵入し、上下に配された各ダニ侵入層９８に潜り込む。さらに、ダニ侵入層９８からダニ誘引殺虫マット９３に移動したダニは、気孔がセラミック粉末により塞がれると共に、体内に取り込まれたセラミック粉末の吸湿性により乾燥され、死滅する。
【００３８】
尚、上記筒状ケース６０及び誘引体殺虫ケース９０は、横断面形状が楕円形状のものを例に挙げて説明したが、これに限らず、例えば円形または長円形、正方形、長方形、六角形、八角形などでも良いのは勿論である。
【符号の説明】
【００３９】
１０、５０  ダニ捕獲器
２０  ダニ誘引殺虫体
２２  誘引香料膜
２４  微細孔
３０  暗色シート状部材
３２  開口
４０  収納ケース
４１  侵入口
４２  下ケース
４２ａ、４２ｂ  凹部
４２ｃ  底板
４３  開口
４４  上ケース
４５  収納室
４６  ヒンジ
４７、４８  掛止部
６０  筒状ケース
７０  レンズ
８０  ダニ誘引シート
８２  通気性シート
８４  ダニ誘引体
９０  誘引体殺虫ケース
９３  ダニ誘引殺虫マット
９５  ダニ誘引殺虫体
９８  ダニ侵入層
Ｓ  隙間
【図１】
0005912889.tif 000002
【図２】
0005912889.tif 000003
【図３】
0005912889.tif 000004
【図４】
0005912889.tif 000005
【図５】
0005912889.tif 000006